(57)【要約】【課題】電気化学セルを確実に押圧できながら、小型化を図ることができる二次電池を提供すること。【解決手段】  １対の保持側板３１のそれぞれは、対向方向の中央部が対向方向の両端に対して対向方向の一方側に向かって膨出するように湾曲している。第１ケース側板４１Ａおよび第２ケース側板４１Ｂは、１対の保持側板３１のそれぞれの曲率よりも大きい曲率で、対向方向の中央部が対向方向の両端に対して対向方向の一方側に向かって膨出するように湾曲している。保持板３が電気化学セル２を挟持すると、電気化学セル２は、１対の保持側板３１に沿って湾曲する。そして、その状態の保持板３をケース４に収容すると、１対の保持側板３１のそれぞれは、ケース４に沿うようにさらに湾曲する。その結果、電気化学セル２のセル１０の対向方向の一方側の側面が、保持板３の第１保持側板３１Ａから押圧力Ｆを受ける。【選択図】図４
2016033988.tif 000002
【特許請求の範囲】
【請求項１】
正極、前記正極に対して対向配置される負極、および、前記正極および前記負極を収容し、電解液が封入されるセルを備える複数の電気化学セルと、
前記電気化学セルを、前記正極と前記負極との対向方向において挟持するように対向配置される１対の側板を備える複数の保持板と、
前記複数の保持板を、前記対向方向と直交する直交方向に沿って積層するように収容するケースと、を備え、
前記１対の側板のそれぞれは、同一方向に湾曲しており、
前記ケースは、前記１対の側板の曲率よりも大きい曲率で湾曲していることを特徴とする、二次電池。
【発明の詳細な説明】
【技術分野】
【０００１】
本発明は、電気化学セルを備える二次電池に関する。
【背景技術】
【０００２】
従来より、蓄電デバイスとして、電気化学キャパシタ等の二次電池が用いられている。電気化学キャパシタは、正極と、負極と、これらの電極間に介在されるセパレータと、電極およびセパレータを収容し、その内部に電解液が満たされるセルとを備える複数の電気化学セルを備える。また、電気化学キャパシタでは、複数の電気化学セルが、電気化学セルにおける正極と負極との対向方向が積層方向となるようにして積層される。
【０００３】
そして、電気化学キャパシタでは、電気二重層や酸化還元反応によりエネルギーが蓄電され、また、蓄電されたエネルギーが放電されることにより、充放電が行われる。
【０００４】
このような電気化学キャパシタとして、複数の電気化学セルを、積層方向、すなわち、電気化学セルにおける正極と負極との対向方向に押圧する押圧可変装置を備えるハイブリッドキャパシタが知られている（例えば、特許文献１参照）。そして、ハイブリッドキャパシタにおいて充放電が行われるときには、複数の電気化学セルは、押圧可変装置によって押圧される。これにより、電気化学セルにおける単位体積あたりのエネルギー密度が向上する。
【先行技術文献】
【特許文献】
【０００５】
【特許文献１】特開２０１３−１８２９２４号公報
【発明の概要】
【発明が解決しようとする課題】
【０００６】
しかるに、上記特許文献１に記載のハイブリッドキャパシタでは、押圧可変装置を別途設けるため、押圧可変装置を配置するスペースが必要となり、大型化してしまうという不具合がある。
【０００７】
そこで、本発明の目的は、電気化学セルを確実に押圧できながら、小型化を図ることができる二次電池を提供することにある。
【課題を解決するための手段】
【０００８】
本発明の二次電池は、正極、正極に対して対向配置される負極、および、正極および負極を収容し、電解液が封入されるセルを備える複数の電気化学セルと、電気化学セルを、正極と負極との対向方向において挟持するように対向配置される１対の側板を備える複数の保持板と、複数の保持板を、対向方向と直交する直交方向に沿って積層するように収容するケースと、を備える。１対の側板のそれぞれは、同一方向に湾曲している。ケースは、１対の側板の曲率よりも大きい曲率で湾曲している。
【０００９】
このような構成によれば、保持板が電気化学セルを挟持すると、電気化学セルは、１対の側板に沿って湾曲する状態が保たれる。すなわち、保持板が電気化学セルを挟持すると、電気化学セルでは、１対の側板に沿う湾曲面が形成される。
【００１０】
そして、電気化学セルを挟持した状態の保持板をケースに収容させると、１対の側板のそれぞれは、ケースに沿うようにさらに湾曲する。すなわち、ケースが保持板を収容すると、１対の側板のそれぞれは、ケースの曲率と同一の曲率となるようにさらに湾曲する。
【００１１】
そのため、ケースが保持板を収容する状態においては、電気化学セルの湾曲面は、一方の側板から、他方の側板に向かう押圧力を確実に受ける。
【００１２】
その結果、電気化学セルを確実に押圧できる。
【００１３】
また、二次電池では、電気化学セルを挟持した状態の保持板をケースに収容することにより、電気化学セルを押圧する。
【００１４】
そのため、電気化学セルを押圧するための押圧装置を別途設ける場合に比べて、二次電池の小型化を図れる。
【発明の効果】
【００１５】
本発明の二次電池によれば、電気化学セルを確実に押圧できながら、小型化を図ることができる。
【図面の簡単な説明】
【００１６】
【図１】図１Ａは、本発明の二次電池の一実施形態としてのハイブリッドキャパシタを示す断面図である。図１Ｂは、図１Ａに示すハイブリッドキャパシタの平面図である。
【図２】図２は、図１Ａに示すハイブリッドキャパシタの電気化学セルおよび保持板を示す斜視図である。
【図３】図３は、図２に示す電気化学セルのＡ−Ａ断面図である。
【図４】図４は、図１Ａに示すハイブリッドキャパシタの電気化学セル、保持板およびケースを示す斜視図である。
【図５】図５は、図１Ａに示すハイブリッドキャパシタの第２実施形態を示す斜視図である。
【発明を実施するための形態】
【００１７】
１．ハイブリッドキャパシタ
図１Ａおよび図１Ｂに示すように、二次電池の一例としてのハイブリッドキャパシタ１は、複数（例えば、３個）の電気化学セル２と、複数の電気化学セル２のそれぞれを保持する複数（例えば、３個）の保持板３と、複数の電気化学セル２、および、複数の保持板３を収納するケース４とを備えている。
【００１８】
なお、以下の説明において、ハイブリッドキャパシタ１の方向に言及するときには、ハイブリッドキャパシタ１を水平に載置した状態を上下の基準とする。すなわち、図１Ａの紙面上方が上方であり、紙面下方が下方である。また、ハイブリッドキャパシタ１において、後述する正極７と負極８とが対向する方向が対向方向である。すなわち、図１Ａの紙面奥側が対向方向一方側であり、紙面手前側が対向方向他方側である。また、上下方向および対向方向の両方に直交する方向が幅方向である。すなわち、図１Ａの左方が幅方向一方側であり、右方が幅方向他方側である。
２．電気化学セル
図２および図３に示すように、電気化学セル２は、正極７と、正極７に対して間隔を隔てて対向配置される負極８と、正極７と負極８との間に介在されるセパレータ９と、正極７、負極８、および、セパレータ９を収容するセル１０と、セル１０に封入（貯留）され、正極７、負極８、および、セパレータ９が浸漬される電解液１１とを備えている。
【００１９】
また、電気化学セル２は、正極７、負極８およびセパレータ９がセル１０内に収容され、電解液１１がセル１０に封入（密封）されることにより、ラミネートセルとして形成されている。
【００２０】
なお、電気化学セル２は、ラボスケールで採用される電池セルであって、工業的には、この電気化学セル２を、公知の技術によって適宜スケールアップしたものが採用される。
【００２１】
正極７は、正極側集電体１３Ａと、正極側集電体１３Ａに塗工される正極側塗工層１４Ａとを備えている。
【００２２】
正極側集電体１３Ａとしては、例えば、アルミニウム箔、銅箔、ステンレス箔、ニッケル箔などの金属箔が挙げられる。
【００２３】
正極側集電体１３Ａの厚さは、電気化学セル２のスケールにより異なるが、ラボスケールでは、例えば、１０〜５０μｍである。正極側集電体１３Ａは、正極側端子１５を備えている。正極側端子１５は、正極側集電体１３Ａの幅方向の他方側の端面から幅方向他方側に突出している。正極側端子１５の幅方向他方側端部は、後述するセル１０を貫通して、セル１０の幅方向他方側に配置されている。
【００２４】
正極側塗工層１４Ａは、例えば、ソフトカーボン、ハードカーボンなどのカーボン材を賦活処理して得られる正極材料と、カーボンブラックなどの導電剤と、ポリマーバインダとを混合して得られるスラリーを、正極側集電体１３Ａに塗工し、乾燥およびプレスすることにより得ることができる。
【００２５】
正極側塗工層１４Ａの厚さは、電気化学セル２のスケールにより異なるが、ラボスケールでは、例えば、１０〜１４０μｍであり、また、正極７の厚さ（正極側集電体１３Ａおよび正極側塗工層１４Ａの合計厚さ）は、例えば、３０〜１５０μｍである。
【００２６】
負極８は、正極７と間隔を隔てて対向配置されている。負極８は、リチウムイオンを可逆的に吸蔵・放出する電極であって、リチウムイオンを可逆的に吸蔵・放出可能な負極材料を含有している。
【００２７】
より具体的には、負極８は、負極側集電体１３Ｂと、負極側集電体１３Ｂに塗工される負極側塗工層１４Ｂとを備えている。
【００２８】
また、負極側集電体１３Ｂとしては、例えば、上記した金属箔が挙げられる。
【００２９】
負極側集電体１３Ｂの厚さは、電気化学セル２のスケールにより異なるが、ラボスケールでは、例えば、１０〜５０μｍである。負極側集電体１３Ｂは、負極側端子１６を備えている。負極側端子１６は、負極側集電体１３Ｂの幅方向一方側の端面から幅方向一方側に突出している。負極側端子１６の幅方向一方側端部は、後述するセル１０を貫通して、セル１０の幅方向一方側に配置されている。
【００３０】
負極側塗工層１４Ｂは、例えば、ハードカーボン、ソフトカーボン、グラファイトなどの負極材料と、ポリマーバインダと、さらに、必要によりカーボンブラックなどの導電剤とを混合して得られるスラリーを、負極側集電体１３Ｂに塗工し、乾燥およびプレスすることにより得ることができる。
【００３１】
負極側塗工層１４Ｂの厚さは、電気化学セル２のスケールにより異なるが、ラボスケールでは、例えば、５〜６０μｍであり、負極８の厚さ（負極側集電体１３Ｂおよび負極側塗工層１４Ｂの合計厚さ）が、例えば、１５〜７０μｍである。
【００３２】
セパレータ９としては、例えば、ガラス繊維、セラミックス繊維、ウィスカなどの無機繊維、例えば、セルロースなどの天然繊維、例えば、ポリオレフィン、ポリエステルなどの有機繊維などからなるセパレータが挙げられる。
【００３３】
また、セパレータ９の厚さは、電気化学セル２のスケールにより異なるが、ラボスケールでは、例えば、１５〜１５０μｍである。
【００３４】
セル１０は、例えば、アルミニウム製のラミネートフィルムなどからなり、正極７、負極８、および、セパレータ９を収容可能な略ボックス形状に形成されている。セル１０の厚さは、電気化学セル２のスケールにより異なるが、ラボスケールでは、例えば、５〜２０ｍｍであり、大きさが、例えば、対向方向の投影形状が矩形状の場合には、上下方向長さが、例えば、５〜１５０ｍｍであり、幅方向長さが、例えば、５〜１７０ｍｍである。
【００３５】
なお、セル１０内には、セル１０内のガスを排出するための図示しない逆止弁が設けられている。
【００３６】
電解液１１は、リチウム塩を含む有機溶媒を含有しており、具体的には、例えば、リチウム塩を有機溶媒に溶解させることにより調製される。
【００３７】
リチウム塩としては、ハロゲンを含むアニオン成分を有し、例えば、ＬｉＣｌＯ４、ＬｉＣＦ３ＳＯ３、ＬｉＣ（ＳＯ２ＣＦ３）３、ＬｉＣ４Ｆ９ＳＯ３、ＬｉＣ８Ｆ１７ＳＯ３、ＬｉＢ［Ｃ６Ｈ３（ＣＦ３）２−３，５］４、ＬｉＢ（Ｃ６Ｆ５）４、ＬｉＢ［Ｃ６Ｈ４（ＣＦ３）−４］４、ＬｉＢＦ４、ＬｉＰＦ６、ＬｉＡｓＦ６、ＬｉＳｂＦ６、ＬｉＣＦ３ＣＯ２、ＬｉＮ（ＣＦ３ＳＯ２）２などが挙げられる。なお、上式中［Ｃ６Ｈ３（ＣＦ３）２−３，５］は、フェニル基の３位と５位に、［Ｃ６Ｈ４（ＣＦ３）−４］はフェニル基の４位に、それぞれ−ＣＦ３が置換されているものを意味する。これらは、単独使用または２種以上併用することができる。
【００３８】
有機溶媒としては、例えば、プロピレンカーボネート、プロピレンカーボネート誘導体、エチレンカーボネート、エチレンカーボネート誘導体、ブチレンカーボネート、ジメチルカーボネート、ジエチルカーボネート、エチルメチルカーボネート、γ−ブチロラクトン、１，３−ジオキソラン、ジメチルスルホキシド（ＤＭＳＯ）、スルホラン、ホルムアミド、ジメチルホルムアミド（ＤＭＦ）、ジメチルアセトアミド（ＤＭＡ）、ジオキソラン、リン酸トリエステル、無水マレイン酸、無水コハク酸、無水フタル酸、１，３−プロパンスルトン、４，５−ジヒドロピラン誘導体、ニトロベンゼン、１，３−ジオキサン、１，４−ジオキサン、３−メチル−２−オキサゾリジノン、１，２−ジメトキシエタン、テトラヒドロフラン、２−メチルテトラヒドロフラン、テトラヒドロフラン誘導体、シドノン化合物、アセトニトリル、ニトロメタン、アルコキシエタン、トルエンなどが挙げられる。これらは、単独使用または２種以上併用することができる。
【００３９】
そして、電解液１１を調製するには、例えば、リチウム塩の濃度が、例えば、０．５〜５ｍｏｌ／Ｌ、好ましくは、１〜３ｍｏｌ／Ｌとなるように、また、電解液１１中の水分量が、例えば、５０ｐｐｍ以下、好ましくは、１０ｐｐｍ以下となるように、リチウム塩を有機溶媒に溶解する。
【００４０】
そして、正極７と負極８との間にセパレータ９が介在するようにして正極７、負極８およびセパレータ９を積層し、得られた積層体をセル１０に収容した後、セル１０に電解液１１を注入し、密封することにより、ラミネートセルとして電気化学セル２を形成することができる。
【００４１】
このような電気化学セル２は、詳しくは後述するが、図１Ａに示すように、上下方向に沿って複数（例えば、３個）積層され、互いに接触するように配置される。
３．保持板
保持板３は、図２に示すように、例えば、アルミ、ステンレス、銅などからなり、略筒形状を有している。保持板３は、側板の一例としての１対の保持側板３１と、第１保持架設板３２と、第２保持架設板３３とを備えている。
【００４２】
１対の保持側板３１は、互いに間隔を隔てて対向配置されている。ハイブリッドキャパシタ１においては、１対の保持側板３１における対向方向は、上記した正極７と負極８との対向方向と一致している。１対の保持側板３１のそれぞれは、対向方向の中央部が対向方向の両端に対して対向方向の一方側に向かって膨出するように湾曲している。換言すれば、１対の保持側板３１のそれぞれは、平面視において、対向方向の一方側に向かって湾曲する弓形状（円弧状）を有している。１対の保持側板３１のうち、対向方向の一方側に配置される保持側板３１が第１保持側板３１Ａであり、対向方向の他方側に配置される保持側板３１が第２保持側板３１Ｂである。１対の保持側板３１の湾曲方向において、第１保持側板３１Ａは外側に配置されており、第２保持側板３１Ｂは内側に配置されている。
【００４３】
１対の保持側板３１のそれぞれの平面視形状は、同一の曲率（曲率半径）を有している。詳しくは、１対の保持側板３１のそれぞれの平面視形状の曲率半径は、１００〜４００である。
【００４４】
１対の保持側板３１のそれぞれは、厚さが、例えば、５０〜１５００μｍであり、上下方向の長さが、例えば、５〜２００ｍｍであり、幅方向の長さが、例えば、５〜２００ｍｍである。
【００４５】
１対の保持側板３１の間の間隔、すなわち、第１保持側板３１Ａと第２保持側板３１Ｂとの間の距離は、電気化学セル２のセル１０の厚さよりもわずかに長い。具体的には、第１保持側板３１Ａと第２保持側板３１Ｂとの間の距離は、例えば、５．１〜２５ｍｍである。
【００４６】
第１保持架設板３２は、１対の保持側板３１のそれぞれの幅方向一方側端部間に架設されている。第１保持架設板３２は、平面視略Ｕ字状を有しており、幅方向一方側に向かって膨出するように湾曲している。第１保持架設板３２の厚さ、上下方向の長さ、および、幅方向の長さは、１対の保持側板３１のそれぞれの厚さ、上下方向の長さ、および、幅方向の長さと同一である。
【００４７】
第２保持架設板３３は、１対の保持側板３１のそれぞれの幅方向他方側端部間に架設されている。第２保持架設板３３は、平面視略Ｕ字状を有しており、幅方向他方側に向かって膨出するように湾曲している。第２保持架設板３３の厚さ、上下方向の長さ、および、幅方向の長さは、１対の保持側板３１のそれぞれの厚さ、上下方向の長さ、および、幅方向の長さと同一である。
【００４８】
保持板３では、１対の保持側板の３１、第１保持架設板３２、および、第２保持架設板３３によって上下方向に延びる保持空間３４が形成されている。
４．ケース
ケース４は、図４に示すように、例えば、アルミ、ステンレスなどからなり、一方面が閉塞された略筒形状を有している。ケース４は、１対のケース側板４１と、第１ケース架設板４２と、第２ケース架設板４３と、底板４４と、正極側端子棒４５と、負極側端子棒４６とを備えている。
【００４９】
１対のケース側板４１は、互いに間隔を隔てて対向配置されている。ハイブリッドキャパシタ１においては、１対のケース側板４１における対向方向は、上記した正極７と負極８との対向方向と一致している。１対のケース側板４１のそれぞれは、対向方向の中央部が対向方向の両端に対して対向方向の一方側に向かって膨出するように湾曲している。換言すれば、１対のケース側板４１のそれぞれは、平面視において、対向方向の一方側に向かって湾曲する弓形状（円弧状）を有している。１対のケース側板４１のうち、対向方向の一方側に配置されるケース側板４１が第１ケース側板４１Ａであり、対向方向の他方側に配置されるケース側板４１が第２ケース側板４１Ｂである。１対のケース側板４１の湾曲方向において、第１ケース側板４１Ａは外側に配置されており、第２ケース側板４１Ｂは内側に配置されている。
【００５０】
１対のケース側板４１のそれぞれの平面視形状は、同一の曲率（曲率半径）を有している。１対のケース側板４１のそれぞれの曲率半径は、１対の保持側板３１のそれぞれの曲率半径よりも小さい。具体的には、１対のケース側板４１のそれぞれの平面視形状の曲率半径は、９０〜４００である。
【００５１】
また、１対のケース側板４１のそれぞれの上下方向の長さは、１対の保持側板３１のそれぞれの上下上方の長さよりも長い。具体的には、１対のケース側板４１のそれぞれの上下方向の長さは、例えば、１対の保持側板３１のそれぞれの上下上方の長さの１．２〜３倍であり、例えば、６０〜５００ｍｍである。また、１対のケース側板４１のそれぞれは、幅方向の長さが、例えば、１００〜５００ｍｍであり、厚さが、例えば、５０００〜２００００μｍである。
【００５２】
１対のケース側板４１の間の間隔は、すなわち、第１ケース側板４１Ａと第２ケース側板４１Ｂとの間の距離は、第１保持側板３１Ａと第２保持側板３１Ｂとの間の距離よりもわずかに長い。具体的には、第１ケース側板４１Ａと第２ケース側板４１Ｂとの間の距離は、例えば、５〜３０ｍｍである。
【００５３】
第１ケース架設板４２は、１対のケース側板４１のそれぞれの幅方向一方側端部間に架設されている。第１ケース架設板４２は、平面視略Ｕ字状を有しており、幅方向一方側に向かって膨出するように湾曲している。第１ケース架設板４２の厚さ、上下方向の長さ、および、幅方向の長さは、１対のケース側板４１のそれぞれの厚さ、上下方向の長さ、および、幅方向の長さと同一である。
【００５４】
第２ケース架設板４３は、１対のケース側板４１のそれぞれの幅方向他方側端部間に架設されている。第２ケース架設板４３は、平面視略Ｕ字状を有しており、幅方向他方側に向かって膨出するように湾曲している。第２ケース架設板４３の厚さ、上下方向の長さ、および、幅方向の長さは、１対のケース側板４１のそれぞれの厚さ、上下方向の長さ、および、幅方向の長さと同一である。
【００５５】
底板４４は、１対のケース側板４１のそれぞれの下端部、第１ケース架設板４２の下端部、および、第２ケース架設板４３の下端部間に架設されている。底板４４の厚さは、１対のケース側板４１のそれぞれの厚さと同一である。
【００５６】
ケース４では、１対のケース側板４１、第１ケース架設板４２、第２ケース架設板４３、および、底板４４によって上下方向に延びる収容空間４７が形成されている。
【００５７】
正極側端子棒４５および負極側端子棒４６は、例えば、アルミ、銅、ステンレスなどからなり、底板４４から上方に向かって立設される棒形状を有している。
【００５８】
正極側端子棒４５は、収容空間４７において幅方向他方側に配置されており、負極側端子棒４６は、収容空間４７において幅方向一方側に配置されている。
５．保持板による電気化学セルの保持
図２および図４に示すように、ハイブリッドキャパシタ１を組み付ける場合には、まず、電気化学セル２を対向方向の中央部が対向方向の両端に対して対向方向の一方側に向かって膨出するように湾曲させる。なお、図４においては、電気化学セル２のセル１０の記載を省略している。具体的には、セル１０の対向方向の両側面の曲率（曲率半径）が、保持板３の１対の保持側板３１のそれぞれの曲率（曲率半径）と略同一となるように、電気化学セル２を湾曲させる。このとき、セル１０の対向方向の両側面が湾曲面として形成される。
【００５９】
そして、電気化学セル２を湾曲させた状態を保持しつつ、電気化学セル２を保持板３の保持空間３４に収容する。
【００６０】
この状態から、電気化学セル２の湾曲状態の保持を解除すると、電気化学セル２が湾曲状態を緩める方向に変形しようとする。これにより、電気化学セル２のセル１０の対向方向の一方側の側面が保持板３の第１保持側板３１Ａの内面に当接し、電気化学セル２のセル１０の対向方向の他方側の側面が保持板３の第２保持側板３１Ｂの内面に当接し、図４に示すように、電気化学セル２の湾曲状態が保持板３によって保持される。すなわち、電気化学セル２は、第１保持側板３１Ａおよび第２保持側板３１Ｂによって湾曲状態を維持するように挟持される。
６．保持板および電気化学セルのケースへの収納
電気化学セル２および保持板３をケース４に収納する場合には、まず、上記のように、電気化学セル２を保持した状態の保持板３を用意する。そして、電気化学セル２を保持した状態の保持板３をさらに湾曲させる。
【００６１】
具体的には、保持板３の１対の保持側板３１のそれぞれの曲率（曲率半径）が、ケース４の１対のケース側板４１のそれぞれの曲率（曲率半径）と略同一となるように、保持板３を湾曲させる。すなわち、保持板３を、通常の湾曲状態からさらに、対向方向の中央部が対向方向の両端に対して対向方向の一方側に向かって膨出するように湾曲させる。
【００６２】
そして、保持板３（電気化学セル２を保持した状態の保持板３）を湾曲させた状態を保持しつつ、保持板３をケース４の収容空間４７における下方部に収容する。
【００６３】
保持板３がケース４に収容された状態においては、図１Ａに示すように、電気化学セル２の正極側端子１５は、正極側端子棒４５と当接し、電気化学セル２の負極側端子１６は、負極側端子棒４６と当接する。
【００６４】
このとき、図１Ｂに示すように、保持板３は、ケース４によって、仮想線で示す通常の湾曲状態から、実線で示すさらに湾曲した状態が維持される。
【００６５】
そして、保持板３に保持されている電気化学セル２は、保持板３の保持側板３１から押圧力Ｆを受ける。具体的には、電気化学セル２のセル１０の対向方向の一方側の側面が、保持板３の第１保持側板３１Ａから押圧力Ｆを受ける。すなわち、保持板３がケース４に収容されることにより、セル１０の対向方向の一方側の側面が第１保持側板３１Ａから押圧力Ｆを受ける状態が維持される。
【００６６】
その後は、図４に示すように、上記と同様にして、さらに複数（例えば、さらに２個）の保持板３を、順次上側から下側に向けてケース４に収容する。
【００６７】
これにより、図１Ａに示すように、複数（例えば、３個）の保持板３（電気化学セル２を保持した状態の保持板３）がケース４内において上下方向に積層される。そして、複数（例えば、３個）の電気化学セル２が直列に電気的に接続される。
【００６８】
そして、この状態、すなわち、複数（例えば、３個）の電気化学セル２のそれぞれにおいて、セル１０が第１保持側板３１Ａから押圧力Ｆを受ける状態で充放電を行うと、正極側塗工層１４Ａおよび負極側塗工層１４Ｂの、両方またはいずれか一方の密度が向上するため、電気化学セル２のエネルギー密度の向上を図ることができる。
７．作用効果
このハイブリッドキャパシタ１によれば、図４に示すように、保持板３の１対の保持側板３１のそれぞれは、対向方向の中央部が対向方向の両端に対して対向方向の一方側に向かって膨出するように湾曲している。
【００６９】
そのため、保持板３が電気化学セル２を挟持すると、電気化学セル２は、１対の保持側板３１に沿って湾曲する状態が保たれる。すなわち、保持板３が電気化学セル２を挟持すると、電気化学セル２では、セル１０の対向方向の両側面が湾曲面として形成される。
【００７０】
また、ケース４の第１ケース側板４１Ａおよび第２ケース側板４１Ｂは、１対の保持側板３１のそれぞれの曲率よりも大きい曲率で、対向方向の中央部が対向方向の両端に対して対向方向の一方側に向かって膨出するように湾曲している。
【００７１】
そのため、電気化学セル２を挟持した状態の保持板３をケース４に収容すると、１対の保持側板３１のそれぞれは、ケース４の第１ケース側板４１Ａおよび第２ケース側板４１Ｂに沿うようにさらに湾曲する。すなわち、ケース４が保持板３（電気化学セル２を挟持した状態の保持板３）を収容すると、１対の保持側板３１のそれぞれは、ケース４の第１ケース側板４１Ａおよび第２ケース側板４１Ｂの曲率と同一の曲率となるようにさらに湾曲する。
【００７２】
その結果、ケース４が保持板３（電気化学セル２を挟持した状態の保持板３）を収容する状態においては、電気化学セル２のセル１０の対向方向の一方側の側面が、保持板３の第１保持側板３１Ａから押圧力Ｆを確実に受ける。
【００７３】
よって、電気化学セル２を確実に押圧できる。
【００７４】
また、ハイブリッドキャパシタ１では、電気化学セル２を挟持した状態の保持板３をケース４に収容することにより、電気化学セル２を押圧する。
【００７５】
そのため、電気化学セル２を押圧するための押圧装置を別途設ける場合に比べて、ハイブリッドキャパシタ１の小型化を図れる。
８．変形例
図５を参照して、ハイブリッドキャパシタ１の変形例を説明する。なお、以下の変形例において、上記第１実施形態と同様の部材には同様の符号を付し、その説明を省略する。
（１）第２実施形態
（１−１）第２実施形態のハイブリッドキャパシタの詳細
上記第１実施形態では、ハイブリッドキャパシタ１において、電気化学セル２は、１対の電極、すなわち、１個の正極７と１個の負極８とを備えている。
【００７６】
対して、第２実施形態では、図５に示すように、ハイブリッドキャパシタ１において、電気化学セル２は、２対の電極、すなわち、２個の正極７と２個の負極８とを備えている。
【００７７】
すなわち、第２実施形態では、電気化学セル２では、対向方向の中央部にセパレータ９が配置され、このセパレータ９の対向方向の一方側および他方側のそれぞれに、対向方向の一方側から他方側に向かって、正極７、セパレータ９および負極８が、この順に積層されるユニットが配置されている。
【００７８】
これにより、電気化学セル２では、２個の正極７と、２個の負極８と、３個のセパレータ９とが、対向方向において積層されている。
【００７９】
また、ハイブリッドキャパシタ１においては、正極側端子棒４５および負極側端子棒４６は、対向方向に沿って延びている。電気化学セル２を保持した状態の保持板３をケース４の収容空間４７に収容すると、２個の正極７のそれぞれの正極側端子１５（図２参照）は、正極側端子棒４５と当接し、２個の負極８のそれぞれの負極側端子１６（図２参照）は、負極側端子棒４６と当接する。
【００８０】
これにより、２個の正極７と２個の負極８とが並列に電気的に接続される。
（１−２）第２実施形態の作用効果
第２実施形態のハイブリッドキャパシタ１によれば、図５に示すように、電気化学セル２では、２個の正極７と、２個の負極８と、３個のセパレータ９とが対向方向において積層されている。
【００８１】
そのため、電気化学セル２を保持した状態の保持板３をケース４の収容空間４７に収容すると、ケース４によって、複数の電極を含む電気化学セル２を押圧できる。
【００８２】
その結果、複数の電極を効率的に押圧できる。
【００８３】
また、第２実施形態のハイブリッドキャパシタ１によれば、第１実施形態と同様の作用効果を得ることができる。
【００８４】
なお、上記の説明では、電気化学セル２は、２対の電極を備えているとしたが、電気化学セル２では、複数対の電極が対向方向に積層されればよく、正極７および負極８の数は上記に限られない。
【００８５】
また、上記の説明では、１個の電気化学セル２において、複数対の電極が配置されるとしたが、第１実施形態における電気化学セル２、すなわち、１個の正極７と１個の負極８とを備える電気化学セル２が、保持板３内において、対向方向に複数積層されてもよい。
【符号の説明】
【００８６】
１      ハイブリッドキャパシタ
２      電気化学セル
３      保持板
４      ケース
７      正極
８      負極
１０    セル
１１    電解液
３１    保持側板
３１Ａ  第１保持側板
３１Ｂ  第２保持側板詞
【図１】
2016033988.tif 000003
【図２】
2016033988.tif 000004
【図３】
2016033988.tif 000005
【図４】
2016033988.tif 000006
【図５】
2016033988.tif 000007